(57)【要約】      （修正有）【課題】複数種類のスティック型線香や渦巻型線香等を１つの箱に収容する場合にも、お香を外力や衝撃から保護して輸送時の破損を防止することが可能なお香包装構造を提供する。【解決手段】お香包装構造１００においては、線香をそれぞれ収容し、側部または上部に開口部を有する複数の包装体２０と、複数の包装体２０の背部を支持する、単一素材のシートから形成された支持体１０と、を上部が開口した箱体１０３の内部空間内に配置する。支持体１０は、前後方向に直列的に接続された複数の支持部１２と、支持部１２の側部に回動自在に設けられた折り返し部１８と、を有し、折り返し部１８が、支持部１２に支持された包装体２０の開口部に挿入可能である。【選択図】図１
0003186242.tif 000002
【実用新案登録請求の範囲】
【請求項１】
線香をそれぞれ収容し、側部または上部に開口部を有する複数の包装体と、
前記複数の包装体の背部を支持する、単一素材のシートから形成された支持体とを上部が開口した箱体の内部空間内に配置するお香包装構造であって、
前記支持体は、前後方向に直列的に接続された複数の支持部と、前記支持部の側部に回動自在に設けられた折り返し部とを有し、
前記折り返し部が、前記支持部に支持された前記包装体の前記開口部に挿入可能であることを特徴とするお香包装構造。
【請求項２】
隣り合う前記支持部が段違いとなるように、隣り合う前記支持部を接続する接続部をさらに有することを特徴とする請求項１記載のお香包装構造。
【請求項３】
前記折り返し部が、前記支持体の前記側部に回動自在に接続されて前記包装体の前記開口部の位置に応じた寸法を有するギャップ部と、前記ギャップ部の端部に回動自在に接続されて前記包装体の前記開口部に挿入可能な挿入部とを有することを特徴とする請求項１または２記載のお香包装構造。
【考案の詳細な説明】
【技術分野】
【０００１】
本考案は、お香包装構造に関する。
【背景技術】
【０００２】
従来、香木、植物等の粉末を練って形成した細長い線材から形成される棒状のスティック型線香や、線材をさらに渦巻状に成形することにより製造される渦巻型線香が知られている。このようなスティック型線香や渦巻型線香は脆く、外力や衝撃に弱いため、輸送時の破損を防止するための包装構造として種々の構成が提案されている。例えば、渦巻型線香の包装構造として、渦巻型線香と仕切シートとを交互に複数重積して保持材により径方向外方から支持した後に、全体を箱に収容する手法が提案されている（例えば、特許文献１参照）。
【先行技術文献】
【特許文献】
【０００３】
【特許文献１】特開２００２−５９９７３号公報
【考案の概要】
【考案が解決しようとする課題】
【０００４】
ところで、複数種類のスティック型線香や渦巻型線香等を１つの箱に収容する場合においても、同様に、輸送時の破損を防止する必要性がある。
【０００５】
本考案は上記の課題に鑑みてなされたものであり、複数種類のスティック型線香や渦巻型線香等を１つの箱に収容する場合にも、外力や衝撃からお香を保護して輸送時の破損を防止することが可能なお香包装構造を提供することを目的とする。
【課題を解決するための手段】
【０００６】
本考案の上記目的は、下記の構成により達成される。
（１）  線香をそれぞれ収容し、側部または上部に開口部を有する複数の包装体と、
前記複数の包装体の背部を支持する、単一素材のシートから形成された支持体とを上部が開口した箱体の内部空間内に配置するお香包装構造であって、
前記支持体は、前後方向に直列的に接続された複数の支持部と、前記支持部の側部に回動自在に設けられた折り返し部とを有し、
前記折り返し部が、前記支持部に支持された前記包装体の前記開口部に挿入可能であることを特徴とするお香包装構造。
（２）  隣り合う前記支持部が段違いとなるように、隣り合う前記支持部を接続する接続部をさらに有することを特徴とする（１）記載のお香包装構造。
（３）  前記折り返し部が、前記支持体の前記側部に回動自在に接続されて前記包装体の前記開口部の位置に応じた寸法を有するギャップ部と、前記ギャップ部の端部に回動自在に接続されて前記包装体の前記開口部に挿入可能な挿入部とを有することを特徴とする（１）または（２）記載のお香包装構造。
【考案の効果】
【０００７】
本考案によれば、線香の種類毎に適した包装体を形成することに加え、包装体が箱体内の所定位置からずれないように支持体で保持できることにより、外力や衝撃から線香を保護して輸送時の破損を防止することが可能である。
【図面の簡単な説明】
【０００８】
【図１】本考案の一実施形態に係るお香包装構造の平面図である。
【図２】図１のお香包装構造で使用される支持体の一例の展開図である。
【図３】図２の支持体を組み立てた状態の斜視図である。
【図４】図３の支持体に包装体を配置した状態を示す斜視図である。
【図５】図１のお香包装構造で使用される支持体の一例であって、図２に示す支持体とは異なる支持体の展開図である。
【図６】図５の支持体を組み立てた状態の斜視図である。
【図７】図６の支持体に包装体を配置した状態を示す斜視図である。
【考案を実施するための形態】
【０００９】
以下、本考案に係るお香包装構造の一実施形態を、図面に基づいて詳細に説明する。図１に示すように、本考案の一実施形態に係るお香包装構造１００は、上部が開口した外箱１０２および飾り枠１０３からなる箱体１０４の内部空間内に、支持体１０上に係止された複数の包装体２０と、支持体３０上に係止された複数の包装体４０と、包装体４０と、を配置したものである。
【００１０】
外箱１０２は、厚紙により形成されており、矩形の底面を備えると共に上部が開口した、略直方体形状を有する。外箱１０２の内側には、厚紙を折り曲げることにより中空に形成された飾り枠１０３が嵌め込まれている。この中空の飾り枠１０３によって、箱体１０４により加えられた外力や衝撃をある程度吸収することが可能である。箱体１０４の上部は、別個にまたは一体的に設けられた上蓋（不図示）により被覆することができる。
【００１１】
箱体１０４の内部空間、すなわち飾り枠１０３の内側の空間には、第１仕切り１０６と第２仕切り１０８とが、飾り枠１０３の内面、ひいては箱体１０４の内面と略平行に配置されている。これにより、箱体１０４の内部空間は、第１空間Ａ、第２空間Ｂ、および第３空間Ｃに分割されている。
【００１２】
第１空間Ａは、飾り枠１０３の内面と第１仕切り１０６との間に形成された空間である。第１空間Ａには、香立１０９が配置されているほか、支持体１０と、当該支持体１０上に係止された３つの包装体２０と、が配置されている。
【００１３】
図２〜４は支持体１０の詳細を説明するための図である。尚、簡略化のため、図２〜４においては、支持体１０に２つの支持部１２が設けられている例を示すが、これに限られず、図１のように３つの支持部１２が設けられても、４つ以上の支持部１２が設けられるものであってもよい。
【００１４】
図２は支持体１０の展開図を示し、図３は支持体１０を組み立てた状態の斜視図を示す。支持体１０は、第１空間Ａの幅と略等しい幅を有しており、所定の形状に切断した厚紙を折り曲げることにより形成される。支持体１０は、前後に配置された略正方形形状の支持部１２，１２と、支持部１２，１２を接続する接続部１４と、を有する。支持部１２は、後述する包装体２０と略同形状同寸法を有するように形成されている。前方に位置している支持部１２の後方の一辺が、接続部１４を接続する山折り線１３として機能し、接続部１４はこの山折り線１３を中心に回動可能である。また、後方に位置している支持部１２の前方の一辺が、接続部１４を接続する谷折り線１５として機能し、接続部１４はこの谷折り線１５を中心に回動可能である。山折り線１３および谷折り線１５で折り曲げられることにより、前後に隣り合う支持部１２は、互いに対して段違いに配置されることとなる。すなわち、前方の支持部１２は、後方の支持部１２よりも上方に位置することとなる。
【００１５】
支持部１２の側部（図中の左方）には、折り返し部１８が接続されている。支持部１２の左辺が、折り返し部１８を接続する谷折り線１７として機能し、折り返し部１８はこの谷折り線１７を中心に回動可能である。
【００１６】
図４は、支持体１０に包装体２０を配置した状態を示す斜視図である。包装体２０は、シート２４と、シート２４上に係止された渦巻型線香２８と、これらを収容する透明袋２２と、から構成される。シート２４は略正方形形状の厚紙から構成されており、対角線に沿った２本の切込みにより形成された帯状部２６を有する。帯状部２６の略中心には爪部（不図示）が形成されており、この爪部が渦巻型線香２８の中心と係合することにより、渦巻型線香２８がシート２４上に略固定される。透明袋２２はシート２４よりも一回り大きい略正方形形状の袋であり、一辺に開口部２１を有する。シート２４およびシート２４に略固定された渦巻型線香２８は、開口部２１を介して透明袋２２内に収容される。
【００１７】
支持体１０に包装体２０を配置する際には、図４に示すように、支持部１２の、折り返し部１８が設けられていない側、すなわち図中の右側から、包装体２０を支持体１０に接近させ、包装体２０の透明袋２２の開口部２１に折り返し部１８を挿入する。これにより、透明袋２２が折り返し部１８に係止され、包装体２０の背面は支持部１２上に載置される。このように、各支持部１２に１つずつ包装体２０を配置すると共に、折り返し部１８を開口部２１に挿入することによって、包装体２０が支持部１２上に安定的に支持されることとなる。
【００１８】
図１では、複数の包装体２０が配置された支持体１０が、箱体１０４の第１空間Ａに配置されている。上述したように、支持体１０の幅は第１空間Ａの幅に対応した寸法となっているので、支持体１０は第１空間Ａ内でずれることなく、所定の位置で保持される。また、各包装体２０は支持体１０の支持部１２で、折り返し部１８によりそれぞれ係止されているので、輸送中に包装体２０が所定位置からずれてしまうことが防止できる。これにより、包装体２０に収容されている渦巻型線香２８を外力や衝撃から保護して、輸送時の破損を防止することが可能である。また、２つの支持部１２，１２が段違いに配置され、前方の支持部１２が上方に位置することにより、箱体１０４内で必要な収納スペースを削減して、手前に配置された包装体２０を取り外しやすくできると共に、美観を向上することができる。
【００１９】
第２空間Ｂは、第１仕切り１０６と第２仕切り１０８の間に形成された空間である。第２空間Ｂには、支持体３０と、当該支持体３０上に係止された３つの包装体４０と、が配置されている。
【００２０】
図５〜７は支持体３０の詳細を説明するための図である。尚、簡略化のため、図５〜７においても支持体３０に２つの支持部３２が設けられている例を示すが、これに限られず、図１のように３つの支持部３２が設けられても、４つ以上の支持部３２が設けられるものであってもよい。
【００２１】
図５は支持体３０の展開図を示し、図５は支持体３０を組み立てた状態の斜視図を示す。支持体３０は、第２空間Ｂの幅と略等しい幅を有しており、所定の形状に切断した厚紙を折り曲げることにより形成される。支持体３０は、前後に配置された略長方形形状の支持部３２，３２と、支持部３２，３２を接続する接続部３４と、を有する。支持部３２は、後述する包装体４０の背面と略同形状同寸法を有するように形成されている。前方に位置している支持部３２の後方の一辺が、接続部３４を接続する山折り線３３として機能し、接続部３４はこの山折り線３３を中心に回動可能である。また、後方に位置している支持部３２の前方の一辺が、接続部３４を接続する谷折り線３５として機能し、接続部３４はこの谷折り線３５を中心に回動可能である。山折り線３３および谷折り線３５で折り曲げられることにより、前後に隣り合う支持部３２は、互いに対して段違いに配置されることとなる。すなわち、前方の支持部３２は、後方の支持部３２よりも上方に位置することとなる。また、後方の支持部３２の後方の一辺は、段部３６を接続する山折り線３３として機能している。この段部３６により、後方の支持部３２の後方が底面から持ち上げられている。
【００２２】
支持部３２の側部には、折り返し部３８が接続されている。折り返し部３８は、ギャップ部３８ａと、挿入部３８ｂと、からなる。支持部３２の左辺のうち前方略半分の長さの部分が、ギャップ部３８ａと接続する谷折り線３７として機能し、折り返し部３８はこの谷折り線３７を中心に回動可能である。ギャップ部３８ａは、後述する包装体４０の厚みと略同等の幅（図５中の左右方向寸法）となるように形成されている。ギャップ部３８ａの端部が、挿入部３８ｂを接続する山折り線３９として機能し、挿入部３８ｂはこの山折り線３９を中心に回動可能である。
【００２３】
図７は、支持体３０に包装体４０を配置した状態を示す斜視図である。包装体４０は、複数のスティック型線香４８と、これらを収容するパック４２と、から構成される。パック４２は、紙から構成された封筒状の容器であり、内部空間に複数のスティック型線香４８を保持する本体４３と、本体４３の端部に回動自在に接続された蓋部４４と、を有する。蓋部４４には爪部（不図示）が設けられており、この爪部が本体４３の切り欠き４５と係合することにより、蓋部４４が本体４３の上面に略固定される。蓋部４４は切り欠き４５のみにおいて本体４３に固定されているため、本体４３と蓋部４４との間には開口部４１が存在している。
【００２４】
包装体４０を支持体３０に配置する際には、図７に示すように、支持部３２の、折り返し部３８が設けられていない側、すなわち図７中の右側から、包装体４０を支持体３０に接近させ、包装体４０のパック４２の開口部４１に、挿入部３８ｂを挿入する。これにより、パック４２が挿入部３８ｂに係止され、包装体４０の背面は支持部３２上に載置される。このように、各支持部３２に１つずつ包装体４０を配置すると共に、挿入部３８ｂを開口部４１に挿入することによって、包装体４０が支持部３２上に安定的に支持されることとなる。
【００２５】
図１では、複数の包装体４０が配置された支持体３０が、箱体１０４の第２空間Ｂに配置されている。上述したように、支持体３０の幅は第２空間Ｂの幅に対応した寸法となっているので、支持体３０は第２空間Ｂ内でずれることなく、所定の位置で保持される。また、各包装体４０は支持体３０の支持部３２で、挿入部３８ｂによりそれぞれ係止されているので、輸送中に包装体４０が所定位置からずれてしまうことが防止できる。これにより、包装体４０に収容されているスティック型線香４８を外力や衝撃から保護して、輸送時の破損を防止することが可能である。また、２つの支持部３２，３２が段違いに配置され、前方の支持部３２が上方に位置することにより、箱体１０４内で必要な収納スペースを削減して、手前に配置された包装体４０を取り外しやすくできると共に、美観を向上することができる。また、段部３６により、後方の支持部３２の後方が底面から持ち上げられていることにより、美観を向上することができる。また、ギャップ部３８ａにより、支持部３２と挿入部３８ｂとの間に、包装体４０の厚みに対応した空間が形成されるので、緩衝性を向上することができる。
【００２６】
第３空間Ｃは、第２仕切り１０８と飾り枠１０３の内面との間に形成された空間である。第３空間Ｃには、１０個のコーン型お香６８を収容する包装体６０が配置されている。包装体６０は、第３空間Ｃの幅と略等しい幅および第３空間Ｃの長さと略等しい長さを有しており、これにより包装体６０が第３空間Ｃ内で移動することなく、輸送時の破損を防止することが可能である。
【００２７】
以上説明したように、本実施形態のお香包装構造１００によれば、線香の種類毎に適した包装体２０，４０を形成することに加え、包装体２０，４０が箱体内１０４の所定位置からずれないように支持体１０，３０で保持できることにより、外力や衝撃から線香を保護して輸送時の破損を防止することが可能である。また、支持部１２，３２が段違いとなるように構成されていることにより、箱体１０４内で必要なスペースを節約するとともに、美観を向上することが可能となる。
【００２８】
以上、本考案の一実施形態を説明したが、本考案は前記に限定されるものではなく、種々の変形が可能である。例えば、上述した実施形態では、支持体１０，３０、シート２４、パック４２、外箱１０２、飾り枠１０３等が厚紙により形成されていたが、他の素材から形成されていてもよく、樹脂シート等から構成してもよい。また、外箱１０２は木製であってもよく、飾り枠１０３や第１区切り１０６、第２区切り１０８等は設けられていなくてもよい。また、上述した実施形態では、折り返し部１８，３８が部分的に面取りをされていたが、折り返し部１８，３８の形状や大きさはこれに限られない。また、上記した支持体３０のギャップ部３８ａの寸法は、パック４２の本体４３の略上面に配置された開口部４１に対応して包装体４０の厚みと同等としていたが、これに限られず、開口部４１が設けられる位置に応じて適宜設定してよい。
【符号の説明】
【００２９】
１０，３０    支持体
１２，３２    支持部
１４，３４    接続部
１８，３８    折り返し部
３８ａ    ギャップ部
３８ｂ    挿入部
２０，４０    包装体
２１，４１    開口部
２８    渦巻型線香
４８    スティック型線香
１０４  箱体
【図１】
0003186242.tif 000003
【図２】
0003186242.tif 000004
【図３】
0003186242.tif 000005
【図４】
0003186242.tif 000006
【図５】
0003186242.tif 000007
【図６】
0003186242.tif 000008
【図７】
0003186242.tif 000009